(57)【要約】【課題】浴室と脱衣室とを仕切る間仕切りの厚さ寸法が小さくでき脱衣室の有効スペースを拡大することができる間仕切り構造および建具を提供すること。【解決手段】  上枠本体１１Ａを固定片部１１Ｂに固定するビス１１Ｃ、下枠本体１２Ａを固定片部１２Ｂに固定するビス１２Ｃ、および縦枠本体を建具または脱衣室の壁に固定するビスが、各々の枠材の見付け方向外方に向かって螺合されるようになっているので、見込み方向に螺合する場合と比較して、ビスの螺合寸法による見込み方向のクリアランスが省略でき、枠体１４の固定に伴う間仕切り１０の壁厚寸法を最小化できる。さらに、枠体１４に形成した凹溝状の保持部１１２，１２２に樹脂面材１５の周縁部が保持されることで、枠体１４と樹脂面材１５とを合わせた見込み寸法が最小化でき、間仕切り１０の壁厚寸法を小さくすることができる。【選択図】図１
2008127946.tif 000002
【特許請求の範囲】
【請求項１】
浴室と脱衣室の出入り口に隣接して設けられる間仕切り構造であって、
四周枠組みされた枠体と、この枠体に支持されるパネル体とを備え、
前記枠体には、見付け方向内方に開口して前記パネル体の周縁部を保持する凹溝状の保持部と、この保持部よりも見付け方向外方および浴室側の少なくとも一方に偏って設けられた本体部とが形成され、当該枠体は、前記本体部同士を互いに接合することで四周枠組みされるとともに、建物躯体、前記出入り口用建具または前記浴室構造体に支持される間仕切り構造。
【請求項２】
前記枠体は、前記保持部の底部を貫通する固着具を介して前記建物躯体、前記出入り口用建具または前記浴室構造体に固定されるか、または、前記保持部の底部外側に当接しかつ当該枠体と嵌合する固定部材を介して前記建物躯体、前記出入り口用建具または前記浴室構造体に固定されている請求項１に記載の間仕切り構造。
【請求項３】
前記四周の枠体のうち、互いに対向する一対の枠体における前記保持部は、浴室側の第１保持片と、この第１保持片の脱衣室側に対向するとともに第１保持片に対して着脱可能に設けられた第２保持片とで構成されている請求項１または請求項２に記載の間仕切り構造。
【請求項４】
前記第２保持片には、前記第１保持片に向かって延びて当該第１保持片に係止される被係止部が形成され、前記第１保持片の基端部には、前記第２保持片の被係止部を係止する係止部と、この係止部よりも浴室側に膨出して前記第２保持片の被係止部を受け入れ可能な膨出部とが形成されている請求項３に記載の間仕切り構造。
【請求項５】
前記四周の枠体のうちの上下の枠体は、前記保持部の見付け方向外方に設けられて前記脱衣室側に延びた固定片部を有して構成され、
この固定片部は、前記固着具で前記保持部に固着されかつ前記建物躯体に固定されるとともに、前記出入り口と反対側に配置される縦の枠体よりも外方まで延長して設けられている請求項１から請求項４のいずれかに記載の間仕切り構造。
【請求項６】
建具枠および障子を有した浴室出入り口と、この浴室出入り口の左右少なくとも一方に隣接して設けられた請求項１から請求項５のいずれかに記載の間仕切り構造とを備えた建具。
【発明の詳細な説明】
【技術分野】
【０００１】
本発明は、間仕切り構造および建具に関する。詳しくは、浴室と脱衣室の出入り口に隣接して設けられる間仕切り構造、および浴室出入り口と間仕切り構造とを備えた建具に関する。
【背景技術】
【０００２】
浴室と脱衣室を仕切る間仕切り構造として、壁パネルを脱衣室側から浴室ユニットの壁に固定する構造が提案されている（例えば、特許文献１参照）。
特許文献１に記載された間仕切り構造において、脱衣室側の壁面を構成する壁パネルには、壁パネルの浴室側面周縁に接着固定した枠材と、この枠材の浴室側にビス止め固定したフレームと、このフレームに固定されて浴室側に突出した嵌合受け材とが設けられている。一方、浴室ユニットの壁よりも脱衣室側には、浴室ユニットの壁を係止する継ぎ材と、この継ぎ材に固定されて脱衣室側に突出した嵌合部材とが設けられている。そして、壁パネルは、脱衣室側から嵌合受け材を嵌合部材に嵌合させるとともに、床に固定した固定部材に下枠材を嵌合させることで取り付けられるようになっている。
【０００３】
【特許文献１】特開２００１−２４８２５２号公報
【発明の開示】
【発明が解決しようとする課題】
【０００４】
しかしながら、特許文献１の間仕切り構造では、壁パネルの浴室側に枠材、フレーム、および嵌合受け材が設けられ、浴室ユニットの継ぎ材から脱衣室側に突出した嵌合部材に嵌合受け材を嵌合させる取付構造であるため、壁パネルから浴室ユニットの壁面までの距離、つまり間仕切り全体の壁厚寸法が大きくなってしまう。このため、浴室出入り口の障子よりも脱衣室側に突出させて壁パネルが取り付けられることとなり、脱衣室における有効に利用できる空間が減少してしまうという問題がある。さらに、壁パネルが障子よりも脱衣室側に突出して取り付けられるため、障子を支持する出入り口枠の一部を脱衣室側に延長した位置で壁パネルに固定することになり、出入り口枠の断面寸法が大きくなって使用材料が増大してしまうという問題もある。
【０００５】
本発明の目的は、浴室と脱衣室とを仕切る間仕切りの厚さ寸法が小さくでき脱衣室の有効スペースを拡大することができる間仕切り構造および建具を提供することにある。
【課題を解決するための手段】
【０００６】
本発明の間仕切り構造は、浴室と脱衣室の出入り口に隣接して設けられる間仕切り構造であって、四周枠組みされた枠体と、この枠体に支持されるパネル体とを備え、前記枠体には、見付け方向内方に開口して前記パネル体の周縁部を保持する凹溝状の保持部と、この保持部よりも見付け方向外方および浴室側の少なくとも一方に偏って設けられた本体部とが形成され、当該枠体は、前記本体部同士を互いに接合することで四周枠組みされるとともに、建物躯体、前記出入り口用建具または前記浴室構造体に支持されることを特徴とする。
【０００７】
ここで、枠体が支持される建物躯体としては壁材や壁下地材、床材、天井材等であればよく、また出入り口用建具としては、折れ戸や開き戸等の障子を支持する建具枠であればよく、さらに浴室構造体としては、浴室ユニットの壁支持材や、壁支持材に連結された下地材等であればよい。
このような本発明によれば、枠体に凹溝状の保持部を形成しておき、この保持部にパネル体の周縁部が保持されることで、つまり枠体の見込み寸法内にパネル体が保持されることで、枠体とパネル体とを合わせた見込み寸法が最小化でき、これによっても間仕切りの厚さ寸法を小さくすることができる。従って、間仕切りの厚さ寸法が小さくできることで、間仕切りの脱衣室側側面を出入り口の障子と同面になる程度まで浴室側に寄せて配置する、つまり間仕切りが脱衣室側に突出しないような配置が可能となるので、脱衣室の有効スペースを拡大することができる。
また、保持部よりも見付け方向外方および浴室側のいずれかに偏って設けられた本体部を有して枠体が形成され、この本体部同士を互いに接合することで当該枠体が四周枠組みされていることで、本体部や本体部同士の接合部分が脱衣室側に露出しないことで、間仕切りの外観を良好にすることができる。
ここで、本体部としては、中空状に形成された中空部であってもよく、また、Ｌ字形やコ字形、Ｈ字形等の接合強度を確保する上で有効な任意の断面形状を有して形成されていればよい。このような枠体の本体部同士を枠組みすることで、枠体の強度を確保することができる。
【０００８】
この際、本発明の間仕切り構造では、前記枠体は、前記保持部の底部を貫通する固着具を介して前記建物躯体、前記出入り口用建具または前記浴室構造体に固定されるか、または、前記保持部の底部外側に当接しかつ当該枠体と嵌合する固定部材を介して前記建物躯体、前記出入り口用建具または前記浴室構造体に固定されていることが好ましい。
このような構成によれば、凹溝状の保持部の底部を貫通する固着具によって枠体を固定する、つまり枠体の見付け方向外方に向かう固着具で固定することで、間仕切りの見込み方向に沿った固定寸法（ビスの螺合寸法や嵌合部材の嵌合寸法等）が省略でき、枠体の固定に伴う間仕切りの壁厚寸法を最小化することができる。あるいは、保持部の底部に当接する固定部材に枠体を嵌合させ、この固定部材を介して建物躯体等に支持させた場合には、嵌合によって固定作業を簡略化することができ、取付作業性を向上させることができる。
そして、保持部の底部を貫通する固着具で枠体を固定した場合には、保持部にパネル体を保持した状態において、保持部の底部に設けた固着具がパネル体によって覆われて脱衣室側に露出しないようにでき、間仕切りの意匠性を向上させることができる。
なお、保持部の底部を貫通する固着具を用いるか、枠体と嵌合する固定部材を用いるかは、適宜選択可能であり、例えば、四周の枠体全てにおいて固着具を用いて固定してもよく、また固定部材を用いて固定してもよい。さらに、枠体の四周のうちの対向する二辺（左右の縦枠）において固着具を用い、他の二辺（上枠および下枠）において固定部材を用いてもよく、逆に上枠および下枠において固着具を用い、左右の縦枠において固定部材を用いて固定する構造であってもよい。
【０００９】
また、本発明の間仕切り構造では、前記四周の枠体のうち、互いに対向する一対の枠体における前記保持部は、浴室側の第１保持片と、この第１保持片の脱衣室側に対向するとともに第１保持片に対して着脱可能に設けられた第２保持片とで構成されていることが好ましい。
このような構成によれば、対向する一対の枠体として、例えば左右の縦の枠体の保持部を第１保持片と第２保持片とで構成しておけば、その第２保持片を取り外した状態で建て込み、固着具を介して建物および浴室に固定した四周の枠体に対し、パネル体を上下けんどん式で上下の枠体の保持部に挿入してから、縦の枠体の第１保持片に第２保持片を取り付けてパネル体を保持させることで、パネル体を容易に建て込むことができる。そして、パネル体を建て込んだ状態では、保持部の底部に設けた固着具が見えなくなることから、枠体における脱衣室側表面にビス等の固着具が露出せず、良好な外観を確保することができる。
【００１０】
さらに、本発明の間仕切り構造では、前記第２保持片には、前記第１保持片に向かって延びて当該第１保持片に係止される被係止部が形成され、前記第１保持片の基端部には、前記第２保持片の被係止部を係止する係止部と、この係止部よりも浴室側に膨出して前記第２保持片の被係止部を受け入れ可能な膨出部とが形成されていることが好ましい。
このような構成によれば、第１保持片の基端部に浴室側に膨出した膨出部を形成したことで、第１保持片の係止部と第２保持片の被係止部との係止に必要な空間が確保でき、第１保持片と第２保持片との間隔寸法として、パネル体を保持しかつ底部の固着具の固着作業ができる最小限の寸法を確保すればよくなり、これによっても間仕切りの壁厚寸法を最小化することができる。
【００１１】
また、本発明の間仕切り構造では、前記四周の枠体のうちの上下の枠体は、前記保持部の見付け方向外方に設けられて前記脱衣室側に延びた固定片部を有して構成され、この固定片部は、前記固着具で前記保持部に固着されかつ前記建物躯体に固定されるとともに、前記出入り口と反対側に配置される縦の枠体よりも外方まで延長して設けられていることが好ましい。
このような構成によれば、脱衣室側に延びた固定片部を建物躯体（床材や天井材）に固定するとともに、固定片部に保持部を固着具で固着することで、上下の枠体が建物に固定されるとともに、固定片部を出入り口と反対側に延出させたことで、間仕切りと交差する建物の壁との取り合い寸法を、固定片部の延出寸法で調整することができる。従って、建物の柱や壁と浴室との収まりによって当該間仕切りの位置が左右にずれた、すなわち壁に対する縦の枠体の位置がずれたとしても、このずれ量を固定片部の延出寸法で調整することで、床や天井との取り合い部分に穴が空いてしまうことが防止でき、良好な外観が確保できる。
【００１２】
一方、本発明の建具は、建具枠および障子を有した浴室出入り口と、この浴室出入り口の左右少なくとも一方に隣接して設けられた前記いずれかの間仕切り構造とを備えたことを特徴とする。
ここで、建具が設けられる浴室の構造としては、ユニット化されたタイプのもの（ユニットバス）が好適であるが、在来工法により現場施工されるものであってもよい。
このような建具によれば、前述した間仕切り構造と同様な効果、すなわち脱衣室の有効スペースの拡大という効果を得ることができる。
【発明を実施するための最良の形態】
【００１３】
以下、本発明の実施形態を図面に基づいて説明する。
図１は、本実施形態の間仕切り構造を示す縦断面図であり、図２は、間仕切り構造を示す横断面図である。
図１および図２において、本実施形態の間仕切り構造は、繊維強化プラスチック製の浴槽（不図示）や浴室床（防水パン）１Ａ、浴室壁１Ｂ等からなる浴室ユニットで構成された浴室と、この浴室に隣接して洗面台や洗濯パン等（不図示）が設置される脱衣室とを仕切る間仕切り１０に適用される構造である。この間仕切り１０は、浴室と脱衣室との出入りに利用される出入り口としての建具２に隣接して設置されたものである。建具２は、上枠（不図示）、下枠２Ａおよび左右の縦枠２Ｂを枠組みした建具枠を有し、その内部に障子である折れ戸２Ｃを開閉自在に支持して構成されたもので、脱衣室の床材３や天井材４、内壁材５等に支持されている。
【００１４】
間仕切り１０は、上枠１１、下枠１２、および左右の縦枠１３を四周枠組みした枠体１４と、この枠体１４内部に支持されるパネル体としての樹脂面材１５とを備えて構成されている。間仕切り１０の上枠１１は、脱衣室の天井材４に支持され、下枠１２は、脱衣室の床材３に支持され、一方（図２中、左側）の縦枠１３は、建具２の縦枠２Ｂおよび浴室壁１Ｂに支持され、他方（図２中、右側）の縦枠１３は、浴室壁１Ｂおよび脱衣室の内壁材５に支持されている。
以下、間仕切り１０の詳細構造について、図３〜図６をも参照して説明する。
図３は、間仕切り１０の上枠１１部分を分解して示す縦断面図である。図４は、間仕切り１０の下枠１２部分を分解して示す縦断面図である。図５は、間仕切り１０の縦枠１３部分を拡大して示す横断面図であり、図６は、縦枠１３部分を分解して示す横断面図である。
【００１５】
上枠１１は、図３に示すように、樹脂面材１５の上端縁を保持する上枠本体１１Ａと、この上枠本体１１Ａを天井材４に固定する固定片部１１Ｂと、上枠本体１１Ａを固定片部１１Ｂに固着する固着具としてのビス１１Ｃとを有して構成されている。上枠本体１１Ａは、縦枠１３外方からのビスで縦枠１３と一体化するための２つのビスホールが形成された本体部としての中空部１１１と、この中空部１１１よりも下側（見付け方向内方）かつ脱衣室側に設けられて樹脂面材１５を保持する保持部１１２とを有して形成されている。この保持部１１２は、浴室側の第１保持片１１３と、この第１保持片１１３の脱衣室側に対向する第２保持片１１４と、これらの第１および第２保持片１１３，１１４を連結する底面部１１５とを有し、下方（見付け方向内方）に開口した凹溝状に形成されている。さらに、上枠本体１１Ａにおける保持部１１２の上側には、中空部１１１の側面から脱衣室側に突出し底面部１１５に対向する突出片部１１６が形成されている。
【００１６】
一方、上枠１１の固定片部１１Ｂは、天井材４に固定されるアングル部１１７と、上枠本体１１Ａの底面部１１５と突出片部１１６との間に挿入されてビス１１Ｃが螺合される固着部１１８とを有して形成されている。そして、底面部１１５を貫通したビス１１Ｃを固着部１１８に螺合させることで、上枠本体１１Ａと固定片部１１Ｂとが互いに固定されるとともに、ビス１１Ｃおよび固定片部１１Ｂを介して上枠本体１１Ａが天井材４に支持されるようになっている。このような固定片部１１Ｂの建具２側の端部は、図２の左側の縦枠１３における縦枠本体１３Ａの底面部１３５（後述）、および枠連結部材２Ｄ（後述）の側面と略同一位置に設けられ、建具２と反対側の固定片部１１Ｂの端部は、図２の右側の縦枠１３よりも外側まで延長され、脱衣室の内壁材５と略同一位置に設けられている。
【００１７】
下枠１２は、上枠１１と上下略対称の構成を有し、図４に示すように、樹脂面材１５の下端縁を保持する下枠本体１２Ａと、この下枠本体１２Ａを床材３に固定する固定片部１２Ｂと、下枠本体１２Ａを固定片部１２Ｂに固着する固着具としてのビス１２Ｃとを有して構成されている。下枠本体１２Ａは、縦枠１３と一体化するための２つのビスホールが形成された本体部としての中空部１２１と、この中空部１２１よりも上側（見付け方向内方）かつ脱衣室側に設けられて樹脂面材１５を保持する保持部１２２とを有して形成されている。この保持部１２２は、浴室側の第１保持片１２３と、脱衣室側の第２保持片１２４と、底面部１２５とを有し、上方（見付け方向内方）に開口した凹溝状に形成されている。さらに、下枠本体１２Ａには、突出片部１１６が形成されている。
【００１８】
一方、下枠１２の固定片部１１Ｂは、床材３に固定されるアングル部１２７と、下枠本体１２Ａの底面部１２５と突出片部１２６との間に挿入されてビス１２Ｃが螺合される固着部１２８とを有して形成されている。そして、底面部１２５を貫通したビス１２Ｃを固着部１２８に螺合させることで、下枠本体１２Ａと固定片部１２Ｂとが互いに固定されるとともに、下枠本体１２Ａが床材３に支持されるようになっている。このような固定片部１２Ｂの建具２側の端部は、図２の左側の縦枠１３における縦枠本体１３Ａの底面部１３５（後述）、および枠連結部材２Ｄ（後述）の側面と略同一位置に設けられ、建具２と反対側の固定片部１１Ｂの端部は、図２の右側の縦枠１３よりも外側（図の右側）まで延長され、脱衣室の内壁材５と略同一位置に設けられている。さらに、固定片部１２Ｂの脱衣室側端縁は、建具２の下枠２Ａの脱衣室側端縁と略同一位置に設けられている。
【００１９】
縦枠１３は、図５、図６に示すように、縦枠本体１３Ａと、この縦枠本体１３Ａに固定されて樹脂面材１５の浴室側に当接する第１保持部材１３Ｂと、この第１保持部材１３Ｂに係合されて樹脂面材１５の脱衣室側に当接する第２保持部材１３Ｃと、第１保持部材１３Ｂを縦枠本体１３Ａに固着するビス１３Ｄと、縦枠本体１３Ａを枠連結部材２Ｄまたは壁連結部材５Ａ（後述）に固着する固着具としてのビス１３Ｅとを有して構成されている。縦枠本体１３Ａは、上枠本体１１Ａおよび下枠本体１２Ａの中空部１１１，１２１と接合される本体部としての中空部１３１と、この中空部１３１から脱衣室側に延びて設けられた底面部１３５とを有して形成されている。
【００２０】
また、第１保持部材１３Ｂは、浴室側に延びて縦枠本体１３Ａの中空部１３１に固定される被固定片部１３６と、樹脂面材１５の浴室側側面に沿って延びる第１保持片１３３とを有して全体略Ｌ字形に形成されている。さらに、第１保持部材１３Ｂにおける第１保持片１３３の基端部には、第２保持部材１３Ｃの被係止部１３８Ｂ（後述）を係止する一対の係止部１３７Ａと、この係止部１３７Ａ間で浴室側に膨出して被係止部１３８Ｂを受け入れ可能な膨出部１３７Ｂとが形成されている。第２保持部材１３Ｃは、樹脂面材１５の脱衣室側側面に沿って延びる第２保持片１３４と、この第２保持片１３４における縦枠本体１３Ａ側端部から浴室側に向かって延びる一対の延出片部１３８Ａと、これら一対の延出片部１３８Ａ先端に設けられて第１保持部材１３Ｂの係止部１３７Ａに係止される被係止部１３８Ｂとを有して形成されている。
【００２１】
この縦枠１３において、縦枠本体１３Ａにビス１３Ｄを介して第１保持部材１３Ｂの被固定片部１３６を固定した状態で、第１保持部材１３Ｂの係止部１３７Ａに脱衣室側から第２保持部材１３Ｃの被係止部１３８Ｂを係止することで、第１保持片１３３と第２保持片１３４との間に樹脂面材１５の側端縁を保持する保持部１３２が形成される。この保持部１３２は、縦枠本体１３Ａの中空部１３１よりも見付け方向内方でかつ脱衣室側に設けられて、見付け方向内方（左右の縦枠１３が対向する方向）に開口した凹溝状に形成されている。そして、縦枠本体１３Ａの底面部１３５は、全体凹溝状の保持部１３２の底部に位置し、この底面部１３５を貫通するビス１３Ｅは、第２保持部材１３Ｃを係止する以前に螺合操作され、この螺合操作時に第１保持部材１３Ｂの係止部１３７Ａがビス１３Ｅの頭部やドライバ等の工具に干渉しないようになっている。
【００２２】
以上のような左右の縦枠１３のうち、図２の左側の縦枠１３は、浴室壁１Ｂに固定されたアングル材からなる連結部材１Ｃと、建具２の縦枠２Ｂに固定された枠連結部材２Ｄとに固定されている。すなわち、縦枠１３における縦枠本体１３Ａの中空部１３１がビス１Ｄによって連結部材１Ｃに固定されるとともに、縦枠本体１３Ａの底面部１３５が保持部１３２側から螺合操作されるビス１３Ｅによって枠連結部材２Ｄに固定されることで、左側の縦枠１３が所定位置に支持されるようになっている。枠連結部材２Ｄは、建具２の縦枠２Ｂに沿って上下に延びて形成された断面略Ｌ字形の部材であり、少なくとも床材３の上面から天井材４の下面までの長さ寸法を有して形成されている。
【００２３】
一方、左右の縦枠１３のうち、図２の右側の縦枠１３は、浴室壁１Ｂに固定されたアングル材からなる連結部材１Ｃと、脱衣室の内壁材５に差し込み固定された壁連結部材５Ａとに固定されている。すなわち、縦枠１３における縦枠本体１３Ａの中空部１３１がビス１Ｄによって連結部材１Ｃに固定されるとともに、縦枠本体１３Ａの底面部１３５が保持部１３２側から螺合操作されるビス１３Ｅによって壁連結部材５Ａに固定されることで、右側の縦枠１３が所定位置に支持されるようになっている。壁連結部材５Ａは、脱衣室の内壁材５に沿って上下に延びて形成された断面略Ｌ字形の部材であり、少なくとも床材３の上面から天井材４の下面までの長さ寸法を有して形成されている。
【００２４】
次に、間仕切り１０の建て込み手順について説明する。
先ず、浴室ユニットの略全体が組み立てられて浴室壁１Ｂと建具２とが建て込まれた状態において、浴室壁１Ｂに連結部材１Ｃを固定しておく。
一方、間仕切り１０が建て込まれる位置とは別の場所で、上枠１１の上枠本体１１Ａと、下枠１２の下枠本体１２Ａと、左右の縦枠１３の縦枠本体１３Ａとを四周枠組みしておく。そして、上枠１１の固定片部１１Ｂを天井材４に固定するとともに、下枠１２の固定片部１２Ｂを床材３に固定する。これに続いて、四周枠組みした上枠本体１１Ａ、下枠本体１２Ａおよび縦枠本体１３Ａを建て込み位置に設置し、上枠１１の固定片部１１Ｂに上枠本体１１Ａをビス１１Ｃで固定し、下枠１２の固定片部１２Ｂに下枠本体１２Ａをビス１２Ｃで固定するとともに、連結部材１Ｃに縦枠本体１３Ａをビス１Ｄで固定する。
【００２５】
次に、左右の縦枠本体１３Ａに第１保持部材１３Ｂをビス１３Ｄで固定してから、図２の左側の縦枠１３位置において、建具２の縦枠２Ｂに枠連結部材２Ｄを固定するとともに、この枠連結部材２Ｄに縦枠本体１３Ａの底面部１３５をビス１３Ｅで固定し、図２の右側の縦枠１３位置において、脱衣室の内壁材５に壁連結部材５Ａを差し込み固定するとともに、この壁連結部材５Ａに縦枠本体１３Ａの底面部１３５をビス１３Ｅで固定する。
次に、樹脂面材１５を支持しつつ、その上端縁を上枠本体１１Ａの保持部１１２に挿入して樹脂面材１５を持ち上げてから、その下端縁を下枠本体１２Ａの保持部１２２に挿入して保持部１２２内に設けたセッティングブロック１５１（図１）に載置する、つまり樹脂面材１５を上下けんどん式で建て込む。
【００２６】
次に、左右の縦枠１３において、第２保持部材１３Ｃを第１保持部材１３Ｂに向かって押し込み、被係止部１３８Ｂを係止部１３７Ａに係止させ、第１保持部材１３Ｂの第１保持片１３３と第２保持部材１３Ｃの第２保持片１３４とで樹脂面材１５の側端縁を挟持する。
以上により、枠体１４が浴室壁１Ｂ、建具２の縦枠２Ｂおよび脱衣室の内壁材５に支持されるとともに、この枠体１４に樹脂面材１５が支持され、間仕切り１０の建て込みが完了する。
【００２７】
このような本実施形態によれば、以下のような効果がある。
（１）すなわち、上枠本体１１Ａを固定片部１１Ｂに固定するビス１１Ｃ、下枠本体１２Ａを固定片部１２Ｂに固定するビス１２Ｃ、および縦枠本体１３Ａを枠連結部材２Ｄまたは壁連結部材５Ａに固定するビス１３Ｅが、各々の枠材の見付け方向外方に向かって螺合されるようになっているので、見込み方向に螺合する場合と比較して、ビスの螺合寸法による見込み方向のクリアランスが省略でき、枠体１４の固定に伴う間仕切り１０の壁厚寸法を最小化することができる。
【００２８】
（２）さらに、枠体１４に形成した凹溝状の保持部１１２，１２２，１３２に樹脂面材１５の周縁部が保持される、つまり枠体１４の見込み寸法内に樹脂面材１５が保持されることで、枠体１４と樹脂面材１５とを合わせた見込み寸法が最小化でき、これによっても間仕切り１０の壁厚寸法を小さくすることができる。従って、間仕切り１０の厚さ寸法が小さくできることで、間仕切り１０の脱衣室側側面を建具２の折れ戸２Ｃと略同面になる位置まで浴室側に寄せて配置することができ、間仕切り１０が脱衣室側に突出しないようにできるので、脱衣室の有効スペースを拡大することができる。
【００２９】
（３）また、枠体１４の保持部１１２，１２２，１３２に樹脂面材１５を保持した状態において、ビス１１Ｃ，１２Ｃ，１３Ｅが樹脂面材１５で覆われて脱衣室側に露出しないようにでき、間仕切り１０の意匠性を向上させることができる。さらに、上枠本体１１Ａ、下枠本体１２Ａおよび縦枠本体１３Ａにおいて、中空部１１１，１２１，１３１が保持部１１２，１２２，１３２よりも見付け方向外方かつ浴室側に設けられているので、中空部１１１，１２１，１３１が脱衣室側に露出せず、この点でも間仕切り１０の外観を良好にすることができる。また、中空部１１１，１２１，１３１同士を枠組みすることで、枠体１４の強度を確保することができる。
【００３０】
（４）左右の縦枠１３において、樹脂面材１５の保持部１３２が第１保持部材１３Ｂと第２保持部材１３Ｃとで構成され、第２保持部材１３Ｃが第１保持部材１３Ｂに対して係脱自在に構成されているので、第２保持部材１３Ｃを取り外した状態で樹脂面材１５を上下けんどん式で上下枠１１，１２の保持部１１２，１２２に挿入してから、被係止部１３８Ｂを係止部１３７Ａに係止させて第２保持部材１３Ｃを取り付け、第１保持部材１３Ｂと第２保持部材１３Ｃとで樹脂面材１５を挟持する取付手順が採用でき、樹脂面材１５の建て込みが容易に実施できる。
【００３１】
（５）さらに、左右の縦枠１３において、第１保持部材１３Ｂに膨出部１３７Ｂが形成され、この膨出部１３７Ｂに第２保持部材１３Ｃの被係止部１３８Ｂが受け入れ可能になっているので、係止部１３７Ａと被係止部１３８Ｂとの係止に必要な空間が確保でき、第１保持片１３３と第２保持片１３４との間隔寸法として、樹脂面材１５を保持しかつビス１３Ｅの螺合作業ができる最小限の寸法を確保すればよくなり、これによっても間仕切り１０の壁厚寸法を最小化することができる。
【００３２】
（６）また、上枠１１および下枠１２の固定片部１１Ｂ，１２Ｂが建具２と反対側の縦枠１３よりも外側に延出されているので、間仕切り１０と交差する脱衣室の内壁材５との取り合い寸法を、固定片部１１Ｂ，１２Ｂの延出寸法で調整することができる。従って、建物の柱や壁と浴室との収まりによって間仕切り１０の位置が図２の左右にずれたとしても、このずれ量を固定片部１１Ｂ，１２の延出寸法で調整することで、床材３や天井材４との取り合い部分に穴が形成されてしまうことが防止でき、良好な外観が確保できる。
【００３３】
なお、本発明は前記実施形態の構成に限定されるものではない。
例えば、前記実施形態では、間仕切り１０が床材３から天井材４に至るの高さ寸法を有した樹脂面材１５（パネル体）を備えて構成されていたが、これに限らず、枠体１４の内部に中桟等が設けられ、この中桟で上下に分割された枠体の上下いずれか一方にパネル体が支持されていてもよい。この場合には、中桟により上枠または下枠が構成され、この中桟にパネル体の上端縁または下端縁を保持する略凹溝状の保持部が形成されていればよい。さらに、中桟で上下に分割されてパネル体が支持されない側には、例えば、脱衣室側から利用可能な棚や物入れ、あるいは浴室側から利用可能な棚や物入れが設けられていてもよく、さらには浴室と脱衣室とを仕切る窓が設置されていてもよい。
【００３４】
また、前記実施形態では、間仕切り１０が隣接する浴室の出入り口として折れ戸形式の建具２が設けられていたが、出入り口の開閉形式は特に限定されず、開き戸形式の建具であってもよく、また片引き戸や二枚引戸、三連引戸形式の建具であってもよい。
さらに、前記実施形態では、浴室が浴室ユニットから構成されたものについて説明したが、これに限らず、浴室が在来工法で形成されていてもよい。さらに、前記実施形態において間仕切り１０と対向する浴室壁１Ｂが省略されて、本発明の間仕切りのみで浴室と脱衣室とが仕切られる構成であってもよい。
【００３５】
また、前記実施形態では、上枠１１、下枠１２、および左右の縦枠１３における保持部１１２，１２２，１３２の底部（底面部１１５，１２５，１３５）を貫通する固着具（ビス１１Ｃ，１２Ｃ，１３Ｅ）を介して枠体１４が天井材４や床材３、枠連結部材２Ｄ、壁連結部材５Ａに固定されていたが、枠体１４の支持構造は、上述のものに限らず、図７に示す構造が採用可能である。
すなわち、図７は、前記実施形態の変形例に係る間仕切り構造を示す縦断面図であり、枠体１４の上枠１１の天井材４への支持構造および下枠１２の床材３への支持構造が前記実施形態と相違した構造を示す図である。この図７において、上枠１１の上枠本体１１Ａと固定片部１１Ｂとは、底面部１１５および突出片部１１６の間に固着部１１８が嵌合されることで、互いに連結されるようになっている。つまり、前記実施形態のビス１１Ｃが省略され、突出片部１１６の先端寄りに形成された突起１１６Ａに固定片部１１Ｂの固着部１１８が係止されるとともに、底面部１１５の上側（見込み方向の外側）に固定片部１１Ｂが当接した状態で、上枠本体１１Ａと固定片部１１Ｂ（固定部材）とが互いに嵌合され、この固定片部１１Ｂを介して上枠本体１１Ａが天井材４に支持されるようになっている。
【００３６】
また、図７において、下枠１２の下枠本体１２Ａと固定片部１２Ｂとは、底面部１２５および突出片部１２６の間に固着部１２８が嵌合されることで、互いに連結されるようになっている。つまり、前記実施形態のビス１２Ｃが省略され、突出片部１２６の先端寄りに形成された突起１２６Ａに固定片部１２Ｂの固着部１２８が係止されるとともに、底面部１２５の下側（見込み方向の外側）に固定片部１２Ｂが当接した状態で、下枠本体１２Ａと固定片部１２Ｂ（固定部材）とが互いに嵌合され、この固定片部１２Ｂを介して下枠本体１２Ａが床材３に支持されるようになっている。また、下枠本体１２Ａの浴室側には、鉤形に折れ曲がった係止部材１２Ｄが固定されており、この係止部材１２Ｄを浴室床（防水パン）１Ａ端部の立上り部に係止することで、下枠１２が浴室床１Ａに支持されるようにもなっている。
なお、図７では図示を省略するが、縦枠１３においては、前述の実施形態と同様の固定構造が採用されている。
【００３７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３８】
【図１】本発明の間仕切り構造を示す縦断面図である。
【図２】前記間仕切り構造を示す横断面図である。
【図３】前記間仕切りの上枠部分を分解して示す縦断面図である。
【図４】前記間仕切りの下枠部分を分解して示す縦断面図である。
【図５】前記間仕切りの縦枠部分を拡大して示す横断面図である。
【図６】前記縦枠部分を分解して示す横断面図である。
【図７】本発明の変形例に係る間仕切り構造を示す縦断面図である。
【符号の説明】
【００３９】
１Ｂ…浴室構造体である浴室壁、２…出入り口である建具（出入り口用建具）、３…建物躯体である床材、４…建物躯体である天井材、５…建物躯体である内壁材、１０…間仕切り、１１…上枠、１１Ａ…上枠本体、１１Ｂ…固定片部（固定部材）、１１Ｃ…固着具であるビス、１２…下枠、１２Ａ…下枠本体、１２Ｂ…固定片部（固定部材）、１２Ｃ…固着具であるビス、１３…縦枠、１３Ａ…縦枠本体、１３Ｂ…第１保持部材、１３Ｃ…第２保持部材、１３Ｅ…固着具であるビス、１１１，１２１，１３１…本体部である中空部、１１２，１２２，１３２…保持部、１１３，１２３，１３３…第１保持片、１１４，１２４，１３４…第２保持片、１１５，１２５，１３５…底部である底面部、１３７Ａ…係止部、１３７Ｂ…膨出部、１３８Ｂ…被係止部。
【図１】
2008127946.tif 000003
【図２】
2008127946.tif 000004
【図３】
2008127946.tif 000005
【図４】
2008127946.tif 000006
【図５】
2008127946.tif 000007
【図６】
2008127946.tif 000008
【図７】
2008127946.tif 000009